(57)【要約】【課題】外部操作用スイッチを開いた際に点火コイルの一次電流が遮断されて過進角位置で点火が行われるのを防止した電流遮断形内燃機関用点火装置を提供する。【解決手段】電源１と制御ユニット４との間及び電源１と点火コイルの一次コイル２ａとの間にそれぞれリレーの接点Ｒy1a及びＲy2aを挿入し、外部操作用スイッチ５がオン状態にあるときに接点Ｒy1a及びＲy2aをオン状態に保持して電源１から制御ユニット４に電源電圧が与えられるのを許容し、外部操作用スイッチ５がオフ状態にされたときに点火コイル２に一次電流が流れていない状態で接点Ｒy1a及びＲy2aを開いて制御ユニット４への電源電圧の供給を停止させるように、リレーＲＹ1及びＲＹ2を制御するスイッチ制御手段を制御ユニット４に設けた。【選択図】    図１
2006009692.tif 000002
【特許請求の範囲】
【請求項１】
電源から一次コイルに電源電圧が印加される点火コイルと、前記電源から前記点火コイルの一次コイルを通して流れる一次電流をオンオフするように設けられた一次電流制御用スイッチと、前記一次電流制御用スイッチを内燃機関の点火時期よりも進んだタイミングでオン状態にした後前記点火時期にオフ状態にするように制御する一次電流制御手段を有する制御ユニットとを備え、前記制御ユニットは外部操作用スイッチがオン状態にあるときに前記電源から電源電圧が与えられて動作するように設けられている電流遮断形内燃機関用点火装置において、
オンオフ制御が可能な電源供給用スイッチを少なくとも一つ備えて該電源供給用スイッチがオン状態あるときに前記外部操作用スイッチを通すことなく前記電源から前記制御ユニットに電源電圧を与える電源供給回路が設けられ、
前記制御ユニットは、前記外部操作用スイッチがオン状態にあるときに前記電源供給用スイッチをオン状態に保持して前記電源供給回路を通して前記制御ユニットに電源電圧が与えられるのを許容し、前記外部操作用スイッチがオフ状態にされた際には、前記点火コイルに一次電流が流れていない状態で前記電源供給用スイッチをオフ状態にして前記制御ユニットへの電源電圧の供給を停止させるように、前記電源供給用スイッチを制御するスイッチ制御手段を備えていること、
を特徴とする電流遮断形内燃機関用点火装置。
【請求項２】
電源から一次コイルに電源電圧が印加される点火コイルと、前記電源から前記点火コイルの一次コイルを通して流れる一次電流をオンオフするように設けられた一次電流制御用スイッチと、前記一次電流制御用スイッチを内燃機関の点火時期よりも進んだタイミングでオン状態にした後前記点火時期にオフ状態にするように制御する一次電流制御手段を有する制御ユニットとを備え、前記制御ユニットは外部操作用スイッチがオン状態にあるときに前記電源から電源電圧が与えられて動作するように設けられている電流遮断形内燃機関用点火装置において、
オンオフ制御が可能な電源供給用スイッチを少なくとも一つ備えて該電源供給用スイッチがオン状態あるときに前記外部操作用スイッチを通すことなく前記電源から前記制御ユニットに電源電圧を与える電源供給回路が設けられ、
前記制御ユニットは、前記外部操作用スイッチがオン状態にあるときに前記電源供給用スイッチをオン状態にして前記電源から前記電源供給回路を通して前記制御ユニットに電源電圧が与えられるのを許容し、前記内燃機関が回転中であって前記点火コイルに一次電流が流れている状態で前記外部操作用スイッチがオフ状態にされたときには前記一次電流制御手段により前記点火コイルの一次電流がオフ状態にされるのを待ってから前記電源供給用スイッチをオフ状態にして前記制御ユニットへの電源電圧の供給を停止させ、前記内燃機関が回転中であって前記点火コイルに一次電流が流れていない状態で前記外部操作用スイッチがオフ状態にされたとき及び前記内燃機関が停止している状態で前記外部操作用スイッチがオフ状態にされたときには直ちに前記電源供給用スイッチをオフ状態にして前記制御ユニットへの電源電圧の供給を停止させるように前記電源供給制御用スイッチを制御するスイッチ制御手段を備えていること、
を特徴とする電流遮断形内燃機関用点火装置。
【請求項３】
電源から一次コイルに電源電圧が印加される点火コイルと、前記電源から前記点火コイルの一次コイルを通して流れる一次電流をオンオフするように設けられた一次電流制御用スイッチと、前記一次電流制御用スイッチを内燃機関の点火時期よりも進んだタイミングでオン状態にした後前記点火時期にオフ状態にするように制御する一次電流制御手段を有する制御ユニットとを備え、前記制御ユニットは外部操作用スイッチがオン状態にあるときに前記電源から電源電圧が与えられて動作するように設けられている電流遮断形内燃機関用点火装置において、
オンオフ制御が可能な電源供給用スイッチを少なくとも一つ備えて該電源供給用スイッチがオン状態あるときに前記外部操作用スイッチを通すことなく前記電源から前記制御ユニットに電源電圧を与える電源供給回路が設けられ、
前記制御ユニットは、前記外部操作用スイッチがオン状態にあるときに前記電源供給用スイッチをオン状態に保持して前記電源供給回路を通して前記制御ユニットに電源電圧が与えられるのを許容し、前記内燃機関が回転中であって前記点火コイルに一次電流が流れている状態で前記外部操作用スイッチがオフ状態にされたときには前記一次電流制御手段により前記点火コイルの一次電流がオフ状態にされるのを待ってから前記電源供給用スイッチをオフ状態にして前記制御ユニットへの電源電圧の供給を停止させ、前記内燃機関が回転中であって前記点火コイルに一次電流が流れていない状態で前記外部操作用スイッチがオフ状態にされたときには直ちに前記電源供給用スイッチをオフ状態にして前記制御ユニットへの電源電圧の供給を停止させ、前記内燃機関が停止している状態で前記外部操作用スイッチがオフ状態にされたときには設定された時間が経過した後に前記電源供給用スイッチをオフ状態にして前記制御ユニットへの電源電圧の供給を停止させるように前記電源供給制御用スイッチを制御するスイッチ制御手段を備えていること、
を特徴とする電流遮断形内燃機関用点火装置。
【請求項４】
電源から一次コイルに電源電圧が印加される点火コイルと、前記電源から前記点火コイルの一次コイルを通して流れる一次電流をオンオフするように設けられた一次電流制御用スイッチと、前記一次電流制御用スイッチを内燃機関の点火時期よりも進んだタイミングでオン状態にした後前記点火時期にオフ状態にするように制御する一次電流制御手段を有する制御ユニットとを備え、前記制御ユニットは外部操作用スイッチがオン状態にあるときに前記電源から電源電圧が与えられて動作するように設けられている電流遮断形内燃機関用点火装置において、
オンオフ制御が可能な電源供給用スイッチを少なくとも一つ備えて該電源供給用スイッチがオン状態にあるときに前記外部操作用スイッチを通すことなく前記電源から前記制御ユニットに電源電圧を与える電源供給回路が設けられ、
前記制御ユニットは、前記外部操作用スイッチがオン状態にあるときに前記電源供給用スイッチをオン状態に保持して前記電源供給回路を通して前記制御ユニットに電源電圧が与えられるのを許容し、前記内燃機関が回転中であって前記点火コイルに一次電流が流れている状態で前記外部操作用スイッチがオフ状態にされたときには前記一次電流制御手段により前記点火コイルの一次電流がオフ状態にされるのを待ってから前記電源供給用スイッチをオフ状態にして前記制御ユニットへの電源電圧の供給を停止させ、前記内燃機関が回転中であって前記点火コイルに一次電流が流れていない状態で前記外部操作用スイッチがオフ状態にされたときには直ちに前記電源供給用スイッチをオフ状態にして前記制御ユニットへの電源電圧の供給を停止させ、前記内燃機関が停止し、かつ前記点火コイルに一次電流が流れていない状態で前記外部操作用スイッチがオフ状態にされたときには直ちに前記電源供給用スイッチをオフ状態にして前記制御ユニットへの電源電圧の供給を停止させ、前記内燃機関が停止し、かつ前記点火コイルに一次電流が流れている状態で前記外部操作用スイッチがオフ状態にされたときには設定された時間が経過した後に前記電源供給用スイッチをオフ状態にして前記制御ユニットへの電源電圧の供給を停止させるように前記電源供給回路の電源供給制御用スイッチを制御するスイッチ制御手段を備えていること、
を特徴とする電流遮断形内燃機関用点火装置。
【請求項５】
電源から一次コイルに電源電圧が印加される点火コイルと、前記電源から前記点火コイルの一次コイルを通して流れる一次電流をオンオフするように設けられた一次電流制御用スイッチと、前記一次電流制御用スイッチを内燃機関の点火時期よりも進んだタイミングでオン状態にした後前記点火時期にオフ状態にするように制御する一次電流制御手段を有する制御ユニットとを備え、前記制御ユニットは外部操作用スイッチがオン状態にあるときに前記電源から電源電圧が与えられて動作するように設けられている電流遮断形内燃機関用点火装置において、
オンオフ制御が可能な電源供給用スイッチを少なくとも一つ備えて該電源供給用スイッチがオン状態にあるときに前記外部操作用スイッチを通すことなく前記電源から前記制御ユニットと前記点火コイルの一次コイルとに電源電圧を与える電源供給回路が設けられ、
前記制御ユニットは、前記外部操作用スイッチがオン状態にあるときに前記電源供給用スイッチをオン状態に保持して前記電源供給回路を通して前記制御ユニットと点火コイルの一次コイルとに電源電圧が与えられるのを許容し、前記外部操作用スイッチがオフ状態にされた際には、前記点火コイルに一次電流が流れていない状態で前記電源供給用スイッチをオフ状態にして前記制御ユニットと点火コイルの一次コイルへの電源電圧の供給を停止させるように、前記電源供給用スイッチを制御するスイッチ制御手段を備えていること、
を特徴とする電流遮断形内燃機関用点火装置。
【請求項６】
電源から一次コイルに電源電圧が印加される点火コイルと、前記電源から前記点火コイルの一次コイルを通して流れる一次電流をオンオフするように設けられた一次電流制御用スイッチと、前記一次電流制御用スイッチを内燃機関の点火時期よりも進んだタイミングでオン状態にした後前記点火時期にオフ状態にするように制御する一次電流制御手段を有する制御ユニットとを備え、前記制御ユニットは外部操作用スイッチがオン状態にあるときに前記電源から電源電圧が与えられて動作するように設けられている電流遮断形内燃機関用点火装置において、
オンオフ制御が可能な電源供給用スイッチを少なくとも一つ備えて該電源供給用スイッチがオン状態にあるときに前記外部操作用スイッチを通すことなく前記電源から前記制御ユニットと前記点火コイルの一次コイルとに電源電圧を与える電源供給回路が設けられ、
前記制御ユニットは、前記外部操作用スイッチがオン状態にあるときに前記電源供給用スイッチをオン状態に保持して前記電源供給回路を通して前記制御ユニットと前記点火コイルの一次コイルとに電源電圧が与えられるのを許容し、前記内燃機関が回転中であって前記点火コイルに一次電流が流れている状態で前記外部操作用スイッチがオフ状態にされたときには前記一次電流制御手段により前記点火コイルの一次電流がオフ状態にされるのを待ってから前記電源供給用スイッチをオフ状態にして前記制御ユニットと前記点火コイルの一次コイルへの電源電圧の供給を停止させ、前記内燃機関が回転中であって前記点火コイルに一次電流が流れていない状態で前記外部操作用スイッチがオフ状態にされたとき及び前記内燃機関が停止している状態で前記外部操作用スイッチがオフ状態にされたときには直ちに前記電源供給用スイッチをオフ状態にして前記制御ユニットと前記点火コイルの一次コイルへの電源電圧の供給を停止させるように前記電源供給制御用スイッチを制御するスイッチ制御手段を備えていること、
を特徴とする電流遮断形内燃機関用点火装置。
【請求項７】
電源から一次コイルに電源電圧が印加される点火コイルと、前記電源から前記点火コイルの一次コイルを通して流れる一次電流をオンオフするように設けられた一次電流制御用スイッチと、前記一次電流制御用スイッチを内燃機関の点火時期よりも進んだタイミングでオン状態にした後前記点火時期にオフ状態にするように制御する一次電流制御手段を有する制御ユニットとを備え、前記制御ユニットは外部操作用スイッチがオン状態にあるときに前記電源から電源電圧が与えられて動作するように設けられている電流遮断形内燃機関用点火装置において、
オンオフ制御が可能な電源供給用スイッチを少なくとも一つ備えて該電源供給用スイッチがオン状態にあるときに前記外部操作用スイッチを通すことなく前記電源から前記制御ユニットと前記点火コイルの一次コイルとに電源電圧を与える電源供給回路が設けられ、
前記制御ユニットは、前記外部操作用スイッチがオン状態にあるときに前記電源供給用スイッチをオン状態に保持して前記電源供給回路を通して前記制御ユニットと前記点火コイルの一次コイルとに電源電圧が与えられるのを許容し、前記内燃機関が回転中であって前記点火コイルに一次電流が流れている状態で前記外部操作用スイッチがオフ状態にされたときには前記一次電流制御手段により前記点火コイルの一次電流がオフ状態にされるのを待ってから前記電源供給用スイッチをオフ状態にして前記制御ユニットと前記点火コイルの一次コイルへの電源電圧の供給を停止させ、前記内燃機関が回転中であって前記点火コイルに一次電流が流れていない状態で前記外部操作用スイッチがオフ状態にされたときには直ちに前記電源供給用スイッチをオフ状態にして前記制御ユニットと前記点火コイルの一次コイルへの電源電圧の供給を停止させ、前記内燃機関が停止している状態で前記外部操作用スイッチがオフ状態にされたときには設定された時間が経過した後に前記電源供給用スイッチをオフ状態にして前記制御ユニットと前記点火コイルの一次コイルへの電源電圧の供給を停止させるように前記電源供給制御用スイッチを制御するスイッチ制御手段を備えていること、
を特徴とする電流遮断形内燃機関用点火装置。
【請求項８】
電源から一次コイルに電源電圧が印加される点火コイルと、前記電源から前記点火コイルの一次コイルを通して流れる一次電流をオンオフするように設けられた一次電流制御用スイッチと、前記一次電流制御用スイッチを内燃機関の点火時期よりも進んだタイミングでオン状態にした後前記点火時期にオフ状態にするように制御する一次電流制御手段を有する制御ユニットとを備え、前記制御ユニットは外部操作用スイッチがオン状態にあるときに前記電源から電源電圧が与えられて動作するように設けられている電流遮断形内燃機関用点火装置において、
オンオフ制御が可能な電源供給用スイッチを少なくとも一つ備えて該電源供給用スイッチがオン状態にあるときに前記外部操作用スイッチを通すことなく前記電源から前記制御ユニットと前記点火コイルの一次コイルとに電源電圧を与える電源供給回路が設けられ、
前記制御ユニットは、前記外部操作用スイッチがオン状態にあるときに前記電源供給用スイッチをオン状態に保持して前記電源供給回路を通して前記制御ユニットと前記点火コイルの一次コイルとに電源電圧が与えられるのを許容し、前記内燃機関が回転中であって前記点火コイルに一次電流が流れている状態で前記外部操作用スイッチがオフ状態にされたときには前記一次電流制御手段により前記点火コイルの一次電流がオフ状態にされるのを待ってから前記電源供給用スイッチをオフ状態にして前記制御ユニットと前記点火コイルの一次コイルへの電源電圧の供給を停止させ、前記内燃機関が回転中であって前記点火コイルに一次電流が流れていない状態で前記外部操作用スイッチがオフ状態にされたときには直ちに前記電源供給用スイッチをオフ状態にして前記制御ユニットと前記点火コイルの一次コイルへの電源電圧の供給を停止させ、前記内燃機関が停止し、かつ前記点火コイルに一次電流が流れていない状態で前記外部操作用スイッチがオフ状態にされたときには直ちに前記電源供給用スイッチをオフ状態にして前記制御ユニットと前記点火コイルの一次コイルへの電源電圧の供給を停止させ、前記内燃機関が停止し、かつ前記点火コイルに一次電流が流れている状態で前記外部操作用スイッチがオフ状態にされたときには設定された時間が経過した後に前記電源供給用スイッチをオフ状態にして前記制御ユニットと前記点火コイルの一次コイルへの電源電圧の供給を停止させるように前記電源供給制御用スイッチを制御するスイッチ制御手段を備えていること、
を特徴とする電流遮断形内燃機関用点火装置。
【請求項９】
前記電源供給回路は、オン状態にあるときに前記外部操作用スイッチを通すことなく前記電源から前記制御ユニットに電源電圧を与えるように設けられた第１の電源供給用スイッチと、前記電源と前記点火コイルの一次コイルとの間に挿入されてオン状態にあるときに前記電源の出力を前記外部操作用スイッチを通すことなく前記点火コイルの一次コイルに印加するように設けられた第２の電源供給用スイッチとを備えて、前記電源から前記第１の電源供給用スイッチを通して前記制御ユニットに電源電圧を与え、前記電源から前記第２の電源供給用スイッチを通して前記点火コイルの一次コイルに電源電圧を与えるように構成されている請求項５ないし８のいずれか１つに記載の電流遮断形内燃機関用点火装置。
【請求項１０】
前記電源供給回路は、オン状態にあるときに前記外部操作用スイッチを通すことなく前記電源から前記制御ユニットと前記点火コイルの一次コイルとに電源電圧を与えるように設けられた一つの電源供給用スイッチを備えて、前記電源から前記電源供給用スイッチを通して前記制御ユニットと前記点火コイルの一次コイルとに電源電圧を与えるように構成されている請求項５ないし８のいずれか１つに記載の電流遮断形内燃機関用点火装置。
【発明の詳細な説明】
【技術分野】
【０００１】
本発明は、点火コイルの一次コイルを通して流れる一次電流をトランジスタ等の一次電流制御用スイッチによりオンオフ制御して点火コイルの二次コイルに点火用の高電圧を誘起させる電流遮断形の内燃機関用点火装置に関するものである。
【背景技術】
【０００２】
例えば特許文献１に示されているように、バッテリ等の電源から一次コイルに電源電圧が印加される点火コイルと、電源から点火コイルの一次コイルを通して流れる一次電流をオンオフするように設けられたトランジスタ等からなる一次電流制御用スイッチと、一次電流制御用スイッチを内燃機関の点火時期よりも進んだタイミングでオン状態にした後点火時期にオフ状態にするように制御する一次電流制御手段を有する制御ユニットとを備えた電流遮断形の内燃機関用点火装置が広く用いられている。この種の点火装置では、電源と制御ユニット及び点火コイルとの間にキースイッチ等の外部操作用スイッチが設けられていて、外部操作用スイッチがオン状態にあるときに電源から制御ユニット及び点火コイルに電源電圧を与えて点火装置を動作状態にするようになっている。
【０００３】
上記の内燃機関用点火装置では、制御ユニットにより一次電流制御用スイッチがオン状態からオフ状態にされたときに点火コイルの二次コイルに点火用の高電圧が誘起し、この高電圧が機関の点火プラグに印加されることにより点火プラグで火花放電が生じて機関の点火動作が行われる。
【特許文献１】特開２００１−１２３９２９号公報(図１）
【発明の開示】
【発明が解決しようとする課題】
【０００４】
上記のような電流遮断形の内燃機関用点火装置では、一次電流制御用スイッチがオン状態からオフ状態にされたときに点火コイルの二次コイルに高電圧が誘起して点火動作が行われるが、外部操作用スイッチが開かれた際にも点火コイルの二次コイルに高い電圧が誘起することがある。
【０００５】
即ち、運転者が外部操作用スイッチを開く瞬間に一次電流制御用スイッチがオン状態にあると、外部操作用スイッチを開いた際に一次電流制御用スイッチがオフ状態にされて点火コイルの一次電流が遮断されるため、点火コイルの二次コイルに電圧が誘起する。この電圧が相当に高いときには点火プラグで火花放電が生じるため、外部操作用スイッチが開かれるタイミングによっては、過進角位置で機関が点火されることがある。機関が過進角位置で点火されると、ピストンを押し戻そうとする大きな力が加わるため、機関に無理な力がかかり、機関の寿命が短くなるおそれがある。
【０００６】
本発明の目的は、外部操作用スイッチが開かれた際に過進角位置で機関が点火されるおそれをなくすことができるようにした電流遮断形内燃機関用点火装置を提供することにある。
【課題を解決するための手段】
【０００７】
本発明は、電源から一次コイルに電源電圧が印加される点火コイルと、電源から点火コイルの一次コイルを通して流れる一次電流をオンオフするように設けられた一次電流制御用スイッチと、一次電流制御用スイッチを内燃機関の点火時期よりも進んだタイミングでオン状態にした後点火時期にオフ状態にするように制御する一次電流制御手段を有する制御ユニットとを備えて、外部操作用スイッチがオン状態にあるときに電源から制御ユニットに電源電圧が与えられて動作するように設けられている電流遮断形内燃機関用点火装置を対象とする。
【０００８】
本発明においては、オンオフ制御が可能な電源供給用スイッチを少なくとも一つ備えて該電源供給用スイッチがオン状態あるときに外部操作用スイッチを通すことなく電源から制御ユニットに電源電圧を与える電源供給回路が設けられる。
【０００９】
また本発明においては、外部操作用スイッチがオン状態にあるときに電源供給用スイッチをオン状態に保持して電源供給回路を通して制御ユニットに電源電圧が与えられるのを許容し、外部操作用スイッチがオフ状態にされた際には、点火コイルに一次電流が流れていない状態で電源供給用スイッチをオフ状態にして制御ユニットへの電源電圧の供給を停止させるように、電源供給用スイッチを制御するスイッチ制御手段を制御ユニットに設けておく。
【００１０】
上記のように構成すると、一次電流制御用スイッチがオン状態にある状態で外部操作用スイッチが開かれたときに、点火コイルに一次電流が流れていない状態になってから電源供給用スイッチをオフ状態にして制御ユニットへの電源電圧の供給を停止させるため、外部操作用スイッチが開かれた瞬間に点火コイルの一次電流が遮断されて、過進角位置で機関が点火されるのを防ぐことができる。
【００１１】
本発明の好ましい態様で制御ユニットに設けられるスイッチ制御手段は、外部操作用スイッチがオン状態にあるときに電源供給用スイッチをオン状態にして電源から電源供給回路を通して制御ユニットに電源電圧が与えられるのを許容し、内燃機関が回転中であって点火コイルに一次電流が流れている状態で外部操作用スイッチがオフ状態にされたときには一次電流制御手段により点火コイルの一次電流がオフ状態にされるのを待ってから電源供給用スイッチをオフ状態にして制御ユニットへの電源電圧の供給を停止させ、内燃機関が回転中であるが点火コイルに一次電流が流れていない状態で外部操作用スイッチがオフ状態にされたとき及び内燃機関が停止している状態で外部操作用スイッチがオフ状態にされたときには直ちに電源供給用スイッチをオフ状態にして制御ユニットへの電源電圧の供給を停止させるように電源供給制御用スイッチを制御する。
【００１２】
上記のように、外部操作用スイッチとは別系統で制御ユニットに電源電圧を与える電源供給回路を設けた場合、点火コイルの一次電流が流れている状態で機関が停止して、点火コイルの一次電流を遮断することができなくなったときに、点火コイルの一次電流が流れ続けて、点火コイルが焼損するおそれが生じる。これに対し、内燃機関が停止している状態で外部操作用スイッチがオフ状態にされたときに、電源供給用スイッチをオフ状態にして制御ユニットへの電源電圧の供給を停止させるようにしておけば、点火コイルに一次電流が流れ続けるのを防ぐことができるため、点火コイルが焼損するのを防ぐことができる。
【００１３】
本発明の他の好ましい態様で制御ユニットに設けられるスイッチ制御手段は、外部操作用スイッチがオン状態にあるときに電源供給用スイッチをオン状態に保持して電源供給回路を通して制御ユニットに電源電圧が与えられるのを許容し、内燃機関が回転中であって点火コイルに一次電流が流れている状態で外部操作用スイッチがオフ状態にされたときには一次電流制御手段により点火コイルの一次電流がオフ状態にされるのを待ってから電源供給用スイッチをオフ状態にして制御ユニットへの電源電圧の供給を停止させ、内燃機関が回転中であって点火コイルに一次電流が流れていない状態で外部操作用スイッチがオフ状態にされたときには直ちに電源供給用スイッチをオフ状態にして制御ユニットへの電源電圧の供給を停止させ、内燃機関が停止している状態で外部操作用スイッチがオフ状態にされたときには設定された時間が経過した後に電源供給用スイッチをオフ状態にして制御ユニットへの電源電圧の供給を停止させるように電源供給制御用スイッチを制御する。
【００１４】
上記のように、内燃機関が停止している状態で外部操作用スイッチがオフ状態にされたときに、設定された時間が経過した後に電源供給用スイッチをオフ状態にして制御ユニットへの電源電圧の供給を停止させるようにすると、機関のシリンダ内で燃焼が行われなくなった状態で点火コイルの一次電流を遮断することができるため、制御ユニットへの電源電圧の供給が停止されて、点火コイルの一次電流が遮断されたときに点火動作が行われるのを防ぐことができる。
【００１５】
本発明の他の好ましい態様で制御ユニットに設けられるスイッチ制御手段は、外部操作用スイッチがオン状態にあるときに電源供給用スイッチをオン状態に保持して電源供給回路を通して制御ユニットに電源電圧が与えられるのを許容し、内燃機関が回転中であって点火コイルに一次電流が流れている状態で外部操作用スイッチがオフ状態にされたときには一次電流制御手段により点火コイルの一次電流がオフ状態にされるのを待ってから電源供給用スイッチをオフ状態にして制御ユニットへの電源電圧の供給を停止させ、内燃機関が回転中であって点火コイルに一次電流が流れていない状態で外部操作用スイッチがオフ状態にされたときには直ちに電源供給用スイッチをオフ状態にして制御ユニットへの電源電圧の供給を停止させ、内燃機関が停止し、かつ点火コイルに一次電流が流れていない状態で外部操作用スイッチがオフ状態にされたときには直ちに電源供給用スイッチをオフ状態にして制御ユニットへの電源電圧の供給を停止させ、内燃機関が停止し、かつ点火コイルに一次電流が流れている状態で外部操作用スイッチがオフ状態にされたときには設定された時間が経過した後に電源供給用スイッチをオフ状態にして制御ユニットへの電源電圧の供給を停止させるように電源供給制御用スイッチを制御する。
【００１６】
上記のように、内燃機関が停止し、かつ点火コイルに一次電流が流れている状態で外部操作用スイッチがオフ状態にされたときに、設定された時間が経過した後に電源供給用スイッチをオフ状態にするようにすると、機関のシリンダ内で燃焼が行われなくなった状態で点火コイルの一次電流を遮断することができるため、制御ユニットへの電源電圧の供給が停止されて、点火コイルの一次電流が遮断されたときに点火動作が行われるのを防ぐことができる。
【００１７】
本発明の好ましい態様では、オンオフ制御が可能な電源供給用スイッチを少なくとも一つ備えて該電源供給用スイッチがオン状態あるときに外部操作用スイッチを通すことなく電源から制御ユニットと点火コイルの一次コイルとの双方に電源電圧を与えるように電源供給回路が構成される。
【００１８】
このように電源供給回路を構成すると、機関が停止しているときに点火コイルの一次コイルを通して一次電流制御用スイッチに無用な電源電圧が与えられるのを防ぐことができるため、一次電流制御用スイッチの寿命を長くすることができる。
【００１９】
上記のように電源供給回路が構成される場合、制御ユニットには、外部操作用スイッチがオン状態にあるときに電源供給用スイッチをオン状態に保持して電源供給回路を通して制御ユニットと点火コイルの一次コイルとに電源電圧が与えられるのを許容し、外部操作用スイッチがオフ状態にされた際には、点火コイルに一次電流が流れていない状態で電源供給用スイッチをオフ状態にして制御ユニットと点火コイルの一次コイルへの電源電圧の供給を停止させるように、電源供給用スイッチを制御するスイッチ制御手段を設けておく。
【００２０】
上記のように、電源供給用スイッチがオン状態にあるときに外部操作用スイッチを通すことなく電源から制御ユニットと点火コイルの一次コイルとに電源電圧を与えるように電源供給回路が構成される場合、本発明の好ましい態様において制御ユニットに設けられるスイッチ制御手段は、外部操作用スイッチがオン状態にあるときに電源供給用スイッチをオン状態に保持して電源供給回路を通して制御ユニットと点火コイルの一次コイルとに電源電圧が与えられるのを許容し、内燃機関が回転中であって点火コイルに一次電流が流れている状態で外部操作用スイッチがオフ状態にされたときには一次電流制御手段により前記点火コイルの一次電流がオフ状態にされるのを待ってから電源供給用スイッチをオフ状態にして制御ユニットと点火コイルの一次コイルへの電源電圧の供給を停止させ、内燃機関が回転中であって点火コイルに一次電流が流れていない状態で外部操作用スイッチがオフ状態にされたとき及び内燃機関が停止している状態で外部操作用スイッチがオフ状態にされたときには直ちに電源供給用スイッチをオフ状態にして制御ユニットと点火コイルの一次コイルへの電源電圧の供給を停止させるように電源供給制御用スイッチを制御する。
【００２１】
また上記のように、電源供給用スイッチがオン状態あるときに外部操作用スイッチを通すことなく電源から前記制御ユニットと点火コイルの一次コイルとに電源電圧を与えるように電源供給回路が構成される場合、本発明の他の好ましい態様において制御ユニットに設けられるスイッチ制御手段は、外部操作用スイッチがオン状態にあるときに電源供給用スイッチをオン状態に保持して電源供給回路を通して制御ユニットと点火コイルの一次コイルとに電源電圧が与えられるのを許容し、内燃機関が回転中であって点火コイルに一次電流が流れている状態で外部操作用スイッチがオフ状態にされたときには一次電流制御手段により点火コイルの一次電流がオフ状態にされるのを待ってから電源供給用スイッチをオフ状態にして制御ユニットと点火コイルの一次コイルへの電源電圧の供給を停止させ、内燃機関が回転中であって点火コイルに一次電流が流れていない状態で外部操作用スイッチがオフ状態にされたときには直ちに電源供給用スイッチをオフ状態にして制御ユニットと点火コイルの一次コイルへの電源電圧の供給を停止させ、内燃機関が停止している状態で外部操作用スイッチがオフ状態にされたときには設定された時間が経過した後に電源供給用スイッチをオフ状態にして制御ユニットと点火コイルの一次コイルへの電源電圧の供給を停止させるように電源供給制御用スイッチを制御する。
【００２２】
また上記のように、電源供給用スイッチがオン状態にあるときに外部操作用スイッチを通すことなく電源から前記制御ユニットと点火コイルの一次コイルとに電源電圧を与えるように電源供給回路が構成される場合、本発明の他の好ましい態様において制御ユニットに設けられるスイッチ制御手段は、外部操作用スイッチがオン状態にあるときに電源供給用スイッチをオン状態に保持して電源供給回路を通して制御ユニットと点火コイルの一次コイルとに電源電圧が与えられるのを許容し、内燃機関が回転中であって点火コイルに一次電流が流れている状態で外部操作用スイッチがオフ状態にされたときには一次電流制御手段により点火コイルの一次電流がオフ状態にされるのを待ってから電源供給用スイッチをオフ状態にして制御ユニットと点火コイルの一次コイルへの電源電圧の供給を停止させ、内燃機関が回転中であって点火コイルに一次電流が流れていない状態で外部操作用スイッチがオフ状態にされたときには直ちに電源供給用スイッチをオフ状態にして制御ユニットと点火コイルの一次コイルへの電源電圧の供給を停止させ、内燃機関が停止し、かつ点火コイルに一次電流が流れていない状態で外部操作用スイッチがオフ状態にされたときには直ちに電源供給用スイッチをオフ状態にして制御ユニットと点火コイルの一次コイルへの電源電圧の供給を停止させ、内燃機関が停止し、かつ点火コイルに一次電流が流れている状態で外部操作用スイッチがオフ状態にされたときには設定された時間が経過した後に電源供給用スイッチをオフ状態にして制御ユニットと点火コイルの一次コイルへの電源電圧の供給を停止させるように電源供給制御用スイッチを制御する。
【００２３】
上記のように、電源供給用スイッチがオン状態あるときに外部操作用スイッチを通すことなく電源から制御ユニットと点火コイルの一次コイルとに電源電圧を与えるようにする場合、電源供給回路は、オン状態にあるときに外部操作用スイッチを通すことなく電源から制御ユニットに電源電圧を与えるように設けられた第１の電源供給用スイッチと、電源と点火コイルの一次コイルとの間に挿入されてオン状態にあるときに電源の出力を外部操作用スイッチを通すことなく点火コイルの一次コイルに印加するように設けられた第２の電源供給用スイッチとを備えて、電源から第１の電源供給用スイッチを通して制御ユニットに電源電圧を与え、電源から前記第２の電源供給用スイッチを通して点火コイルの一次コイルに電源電圧を与えるように構成することができる。
【００２４】
上記電源供給回路はまた、オン状態にあるときに外部操作用スイッチを通すことなく電源から制御ユニットと点火コイルの一次コイルとに電源電圧を与えるように設けられた一つの電源供給用スイッチを備えて、電源から電源供給用スイッチを通して制御ユニットと点火コイルの一次コイルとに電源電圧を与えるように構成することもできる。
【発明の効果】
【００２５】
以上のように、本発明によれば、一次電流制御用スイッチがオン状態にある状態で外部操作用スイッチが開かれたときに、点火コイルに一次電流が流れていない状態になってから電源供給用スイッチをオフ状態にして制御ユニットへの電源電圧の供給を停止させるようにしたため、外部操作用スイッチが開かれた瞬間に点火コイルの一次電流が遮断されて、過進角位置で機関が点火されるのを防ぐことができる。従って、外部操作用スイッチが開かれた際に、過進角点火により機関に衝撃が加わるのを防ぐことができ、機関が破損したり、寿命が短くなったりするのを防ぐことができる。
【００２６】
また本発明において、電源供給用スイッチを制御するに当たり、外部操作用スイッチがオフ状態にされた際に、内燃機関が回転しているか停止しているかを制御条件に加えて、内燃機関が停止している状態で外部操作用スイッチがオフ状態にされたときに、電源供給用スイッチをオフ状態にして制御ユニットへの電源電圧の供給を停止させるようにした場合には、点火コイルに一次電流が流れている状態で機関が停止したときに、点火コイルに一次電流が流れ続けるのを防ぐことができるため、点火コイルが焼損するのを防ぐことができる。
【００２７】
また本発明において、電源供給用スイッチを制御するに当たり、外部操作用スイッチがオフ状態にされた際に、内燃機関が回転しているか停止しているかを制御条件に加えて、内燃機関が停止している状態で外部操作用スイッチがオフ状態にされたときに、設定時間が経過するのを待ってから電源供給用スイッチをオフ状態にして制御ユニットへの電源電圧の供給を停止させるようにした場合には、点火コイルに一次電流が流れている状態で機関が停止したときに、点火コイルに一次電流が流れ続けるのを防ぐことができるだけでなく、機関のシリンダ内で燃焼が行われなくなってから点火コイルの一次電流を遮断することができるため、点火コイルの一次電流が遮断されたときに無用な点火動作が行われるのを防ぐことができる。
【発明を実施するための最良の形態】
【００２８】
以下図面を参照して本発明の好ましい実施形態を詳細に説明する。
図１において１は負極端子が接地されたバッテリからなる点火装置の電源、２は一端が共通接続された一次コイル２ａ及び二次コイル２ｂを有して、電源１から一次コイル２ａに電源電圧が印加される点火コイルである。３は電源１から点火コイルの一次コイルを通して流れる一次電流をオンオフするように設けられた一次電流制御用スイッチである。図示の例では、エミッタが接地されたＮＰＮトランジスタＴＲ1により一次電流制御用スイッチ３が構成されていて、該トランジスタのコレクタが点火コイルの一次コイル２ａの他端に接続されている。点火コイル２の二次コイルの他端は機関の気筒に取付けられた点火プラグＰＬの非接地側端子に接続されている。
【００２９】
４は一次電流制御用スイッチ３を内燃機関の点火時期よりも進んだタイミングでオン状態にした後点火時期にオフ状態にするように制御する一次電流制御手段を備えた制御ユニット、５は電源１を構成するバッテリの正極端子に一端が接続された外部操作スイッチである。外部操作スイッチ５はキースイッチのように運転者により操作されるスイッチで、制御ユニット４は、外部操作用スイッチ５がオン状態にあるときに電源１から電源電圧が与えられて動作する。
【００３０】
制御ユニット４は，上記一次電流制御手段を構成するマイクロプロセッサ（ＭＰＵ）４Ａと、電源１の出力電圧が外部操作用スイッチ５とカソードをスイッチ５側に向けたダイオードＤ1とを通して入力された定電圧回路４Ｂと、外部操作用スイッチ５とダイオードＤ1との接続点と接地間に接続されて電源１の出力電圧を外部操作用スイッチ５を通して検出する電源電圧検出回路４Ｃとを備えており、マイクロプロセッサ４Ａの所定のポートからトランジスタＴＲ1のベースに駆動信号が与えられるようになっている。
【００３１】
定電圧回路４Ｂは、バッテリ１の出力電圧をマイクロプロセッサ４Ａを駆動するのに適した電圧（５Ｖ）に変換する回路で、その出力電圧はマイクロプロセッサ４Ａの電源端子に印加されている。定電圧回路４Ｂは例えば、３端子レギュレータにより構成される。電源電圧検出回路４Ｃは抵抗Ｒ1とＲ2との直列回路からなる抵抗分圧回路からなっていて、外部操作用スイッチ５がオン状態にあるときにのみ電源１の出力電圧を検出する。電源電圧検出回路４Ｃの出力信号は図示しないＡ／Ｄ変換器を通してマイクロプロセッサ４Ａの所定のポートに入力されている。
【００３２】
６は内燃機関のクランク軸により駆動される磁石発電機で、磁石発電機６の固定子側に設けられた電機子コイルの出力電圧により、図示しない充電回路を通して電源１を構成するバッテリが充電されるようになっている。７は磁石発電機６の回転子ヨークの外周に形成された円弧状のリラクタ８の回転方向の前端側エッジ及び後端側エッジを検出して極性が異なるパルス信号Ｓ1及びＳ2を発生する信号発生器で、信号発生器７が発生するパルス信号Ｓ1及びＳ2は波形整形回路９によりマイクロプロセッサが認識し得る波形の信号に変換されて、マイクロプロセッサ４Ａの所定のポートに入力されている。信号発生器７は、図４（Ａ）に示したように、点火コイルの一次電流の通電を開始する基準クランク角位置θ1で一方のパルス信号Ｓ1を発生し、基準クランク角位置θ1よりも遅れたクランク角位置θ2で他方のパルス信号Ｓ2を発生するように設けられている。なお図４において、横軸のθはクランク角を示している。
【００３３】
図１においてＲＹ1は励磁コイルＹ1と常開接点Ｒy1aとを有する第１のリレーで、接点Ｒy1aは、オン状態にあるときに外部操作用スイッチ５を介することなく電源１から制御ユニット４に電源電圧を供給するように、電源１を構成するバッテリの正極端子と定電圧電源回路４Ｂの非接地側入力端子との間に接続されている。励磁コイルＹ1の一端は電源１を構成するバッテリの正極端子に接続され、他端はエミッタが接地されたＮＰＮトランジスタＴＲ2のコレクタに接続されている。トランジスタＴＲ2のベースはマイクロプロセッサ４Ａの所定のポートに接続され、後記する所定の条件が成立したときにマイクロプロセッサ４ＡがトランジスタＴＲ2に駆動信号を与えて該トランジスタＴＲ2をオン状態にすることにより、励磁コイルＹ1を励磁して接点Ｒy1aをオン状態にするようになっている。
【００３４】
ＲＹ2は励磁コイルＹ2と常開接点Ｒy2aとを有する第２のリレーで、接点Ｒy2aは、オン状態にあるときに外部操作用スイッチ５を介することなく電源１から点火コイルの一次コイル２ａに電源電圧を供給するように、電源１を構成するバッテリの正極端子と一次コイル２ａの一端との間に接続されている。励磁コイルＹ2の一端は電源１を構成するバッテリの正極端子に接続され、他端はエミッタが接地されたＮＰＮトランジスタＴＲ3のコレクタに接続されている。トランジスタＴＲ3のベースはマイクロプロセッサ４Ａの所定のポートに接続され、後記する所定の条件が成立したときにマイクロプロセッサ４ＡがトランジスタＴＲ3に駆動信号を与えてトランジスタＴＲ3をオン状態にすることにより、励磁コイルＹ2を励磁して接点Ｒy2aをオン状態にするようになっている。
【００３５】
本実施形態では、接点Ｒy1aにより、オン状態にあるときに外部操作用スイッチ５を通すことなく電源１から制御ユニット４に電源電圧を与えるように設けられた第１の電源供給用スイッチが構成され、接点Ｒy2aにより、電源１と点火コイルの一次コイル２ａとの間に挿入されてオン状態にあるときに電源１の出力を外部操作用スイッチ５を通すことなく点火コイル２の一次コイル２ａに印加するように設けられた第２の電源供給用スイッチが構成されている。
【００３６】
そして、上記第１の電源供給用スイッチと第２の電源供給用スイッチとにより、電源１から外部操作用スイッチ５を通すことなく（第１の電源供給用スイッチを通して）制御ユニット４に電源電圧を与え、電源１から外部操作用スイッチ５を通すことなく（第２の電源供給用スイッチ）を通して点火コイル２の一次コイル２ａに電源電圧を与える電源供給回路が構成されている。
【００３７】
また図示の例では、制御ユニット４と、波形整形回路９と、ダイオードＤ1と、トランジスタＴＲ1ないしＴＲ3とにより、点火ユニット１０が構成されている。
【００３８】
図１に示した点火装置においては、マイクロプロセッサ４Ａが所定のプログラムを実行することにより、図２に示したように、一次電流制御用スイッチ３を内燃機関の点火時期よりも進んだタイミングでオン状態にした後点火時期にオフ状態にするように制御する一次電流制御手段２０と、外部操作用スイッチ５がオン状態にあると判別されているときに電源供給用スイッチ（この例ではリレーＲＹ1の接点Ｒy1a及びリレーＲＹ2の接点Ｒy2a）２１をオン状態に保持して電源供給回路を通して制御ユニットに電源電圧が与えられるのを許容し、外部操作用スイッチ５がオフ状態にされたと判別された際に、点火コイル２に一次電流が流れていない状態で電源供給用スイッチ２１をオフ状態にして制御ユニット４への電源電圧の供給を停止させるように、電源供給用スイッチ２１を制御するスイッチ制御手段２２とを構成する。
【００３９】
一次電流制御手段２０は、例えば、信号発生器７がパルス信号Ｓ1またはＳ2を発生する間隔（クランク軸が１回転するのに要する時間）から機関の回転速度を検出する回転速度検出手段２０Ａと、検出された回転速度に対して機関の点火時期に相当するクランク角位置θiを演算する点火時期演算手段２０Ｂと、信号発生器７がパルス信号Ｓ1を発生したときにトランジスタＴＲ1のベースに駆動信号Ｖbを与えて点火コイルの一次コイルへの通電を開始するとともに、点火時期に相当するクランク角位置の計測を開始して、点火時期に相当するクランク角位置θiが検出されたときにトランジスタＴＲ1への駆動信号Ｖbの供給を停止させる駆動信号発生手段２０Ｃとにより構成される。
【００４０】
またスイッチ制御手段２２は、例えば、電源電圧検出回路４Ｃを通して電源電圧が検出されているときに外部操作用スイッチ５がオン状態にあると判定し、電源電圧検出回路４Ｃを通して電源電圧が検出されなくなったときに外部操作用スイッチ５がオフ状態にされたと判別するスイッチ状態判別手段２２Ａと、信号発生器７がパルス信号Ｓ1を発生しているときに内燃機関が回転していると判別し、信号発生器がパルス信号Ｓ1を発生しなくなったときに機関が停止していると判別する機関状態判別手段２２Ｂと、マイクロプロセッサからトランジスタＴＲ1に駆動信号Ｖbが与えられているときに点火コイル２の一次コイルへの通電が行われていると判別し、トランジスタＴＲ1への駆動信号の供給が停止しているときに点火コイル２の一次コイルへの通電が停止していると判別する点火コイル通電判別手段２２Ｃと、スイッチ状態判別手段２２Ａ、機関状態判別手段２２Ｂ及び点火コイル通電判別手段２２Ｃによる判別結果に応じて電源供給用スイッチ２１を駆動するスイッチ駆動手段２１Ｄとにより構成される。
【００４１】
スイッチ駆動手段２１Ｄは、スイッチ状態判別手段２２Ａにより外部操作用スイッチ５がオン状態にあると判別されているときに電源供給用スイッチ２１をオン状態に保持して、電源１から電源供給用スイッチ（Ｒy1a，Ｒy2a）２１を通して制御ユニット４と点火コイルの一次コイル２ａとに電源電圧が与えられるのを許容し、機関状態判別手段２２Ｂにより内燃機関が回転中であると判定され、かつ点火コイル通電判別手段２２Ｃにより点火コイル２に一次電流が流れていると判別されている状態で、スイッチ状態判別手段２２Ａにより外部操作用スイッチ５がオフ状態にされたと判定されたときに、一次電流制御手段２０が点火コイル２の一次電流がオフ状態にするのを待ってから電源供給用スイッチ（Ｒy1a，Ｒy2a）２１をオフ状態にして制御ユニット４と点火コイルの一次コイル２ａへの電源電圧の供給を停止させ、機関状態判別手段２２Ｂにより内燃機関が回転中であると判別され、かつ点火コイル通電判別手段２２Ｃにより点火コイルに一次電流が流れていないと判別されている状態でスイッチ状態判別手段２２Ａにより外部操作用スイッチ５がオフ状態にされたと判別されたとき、及び機関状態判別手段２２Ｂにより内燃機関が停止していると判定され、かつスイッチ状態判別手段２２Ａにより外部操作用スイッチ５がオフ状態にされたと判別されたときに直ちに電源供給用スイッチ（Ｒy1a，Ｒy2a）２１をオフ状態にして制御ユニット４と点火コイルの一次コイル２ａへの電源電圧の供給を停止させるように、スイッチ状態判別手段２２Ａ、機関状態判別手段２２Ｂ及び点火コイル通電判別手段２２Ｃによる判別結果に応じて電源供給用スイッチ２１を駆動する。
【００４２】
上記のような制御を行うスイッチ制御手段２２を構成するために、マイクロプロセッサに実行させるタスクのアルゴリズムを示すフローチャートを図３に示した。図３に示したタスクは微小な時間間隔で実行されるもので、このタスクが行われるときには、リレーＲＹ1及びＲＹ2が共に励磁されていて、それぞれの接点Ｒy1a及びＲy2aが共にオン状態にある。
【００４３】
図３のタスクが開始されると、先ずステップ１において、スイッチ状態判別手段２２Ａにより外部操作用スイッチ５がオフ状態にあると判別されているかか否かを判定する。その結果、外部操作用スイッチ５がオフ状態にはない（オン状態にある）と判別されているときには、以後何もしないで（接点Ｒy1a及びＲy2aをオン状態に保持したままで）このタスクを終了する。
【００４４】
ステップ１において、外部操作用スイッチ５がオフ状態にあると判別されているときには、ステップ２に進んで、機関状態判別手段２２Ｂにより機関が回転中であると判別されているか否かを判定する。その結果、機関が回転中であると判別されているときには、ステップ３に進んで、点火コイル通電状態判別手段２２Ｃにより、点火コイルの一次コイル２ａに通電されていると判別されているか否か（一次電流制御用スイッチ３に駆動信号Ｖbが与えられているか否か）を判定する。その結果、点火コイルの一次コイルに通電されていると判別されているときには、以後何もしないでこのタスクを終了し、点火コイル通電判別手段２２Ｃにより点火コイルの一次コイルへの通電が停止されたと判別されたときに、ステップ４に進んで点火コイルの一次コイル２ａへの通電と、点火（一次電流の遮断）とを禁止して、ステップ５でトランジスタＴＲ2及びＴＲ3をオフ状態にすることによりリレーＲＹ1及びＲＹ2を非励磁状態にしてこのタスクを終了する。
【００４５】
ステップ２において、機関が停止していると判定されたときには、ステップ５に進んでトランジスタＴＲ2及びＴＲ3をオフ状態にしてリレーＲＹ1及びＲＹ2を非励磁状態にした後このタスクを終了する。
【００４６】
図１に示した点火装置において、内燃機関用始動装置によりクランキングが行われ、外部操作用スイッチ５が閉じられると、電源１から外部操作用スイッチ５とダイオードＤ1とを通して制御ユニット４に電源電圧が与えられる。これによりマイクロプロセッサ４Ａが起動する。マイクロプロセッサ４Ａは、起動した後、各部の初期化を行い、次いで電源電圧検出回路４Ｃの出力から外部操作用スイッチ５がオン状態にあることを確認した後、トランジスタＴＲ1及びＴＲ3をオン状態にしてリレーＲＹ1及びＲＹ2を励磁する。これにより接点Ｒy1a及びＲy2aが閉じるため、外部操作用スイッチ５を経由することなく、電源１から制御ユニット４に電源電圧が与えられるとともに、点火コイルの一次コイル２ａに電源電圧が与えられる。
【００４７】
図４に示したように、マイクロプロセッサ４Ａは、信号発生器７がパルス信号Ｓ1を発生したときに一次電流制御用スイッチ３を構成するトランジスタＴＲ1に駆動信号Ｖbを与えて、トランジスタＴＲ1をオン状態にする。これにより図４（Ｂ）に示すように、電源１から接点Ｒy2aと点火コイルの一次コイルと２ａと、トランジスタＴＲ1のコレクタエミッタとを通して点火コイルの一次電流Ｉ1が流れる。マイクロプロセッサ４Ａは、機関の点火時期θiを検出したときにトランジスタＴＲ1への駆動信号の供給を停止させる。これによりトランジスタＴＲ1がオフ状態になるため、点火コイルの一次電流が遮断される。点火コイルの一次電流が遮断されると、一次コイル２ａに高い電圧が誘起し、この電圧が点火コイルの昇圧比により昇圧されて二次コイル２ｂに点火用の高電圧が誘起する。この点火用高電圧は点火プラグＰＬに印加されるため、点火プラグＰＬで火花放電が生じ、機関が点火される。
【００４８】
内燃機関が回転し、点火コイル２に一次電流が流れている状態で外部操作用スイッチ５がオフ状態にされたときには、マイクロプロセッサ４Ａが一次電流制御手段により点火コイルの一次電流をオフ状態にするのを待ってからトランジスタＴＲ2及びＴＲ3をオフ状態にして励磁コイルＹ1及びＹ2を非励磁状態にし、これにより接点Ｒy1a，Ｒy2aをオフ状態にして制御ユニット４及び点火コイルの一次コイル２ａへの電源電圧の供給を停止させる。従って例えば、正規の点火時期に相当するクランク角位置θiよりも進角した図４のθ3のクランク角位置で外部操作用スイッチ５が開かれたとしても、接点Ｒy1a及びＲy2aがオン状態を保持して制御ユニット４及び点火コイル２への通電を維持するため、トランジスタＴＲ1は、一次電流制御手段２０により定められた正規の点火時期に相当するクランク角位置θiまでオン状態を保持し、該正規の点火時期に点火動作が行われる。
【００４９】
また内燃機関が回転中であって点火コイルに一次電流が流れていない状態で外部操作用スイッチ５がオフ状態にされたとき、及び内燃機関が停止している状態で外部操作用スイッチ５がオフ状態にされたときには、マイクロプロセッサが直ちにトランジスタＴＲ2及びＴＲ3をオフ状態にして接点Ｒy1a，Ｒy2aをオフ状態にし、制御ユニット４と点火コイルの一次コイル２ａへの電源電圧の供給を停止させる。
【００５０】
従来のこの種の点火装置においては、外部操作用スイッチ５を経由しないで制御ユニット４及び点火コイルの一次コイルに電源電圧を与える電源供給用スイッチ２１（Ｒy1a，Ｒy2a）が設けられておらず、外部操作用スイッチ５が開かれると、直ちに制御ユニット４及び点火コイルの一次コイルへの通電が停止されるため、例えば図５に示したように、正規の点火時期に相当するクランク角位置θiよりも過進角したクランク角位置θ3で外部操作用スイッチ５が開かれると、この過進角位置θ3で一次電流Ｉ1が遮断されて点火動作が行われる。このように、過進角位置で点火動作が行われると、機関に衝撃が加わるため、機関が破損したり、機関の寿命が短くなったりするおそれがあった。
【００５１】
これに対し、本発明によれば、一次電流制御用スイッチ３がオン状態にある状態で外部操作用スイッチ５が開かれたときに、点火コイル２に一次電流が流れていない状態になってから電源供給用スイッチ（Ｒy1a及びＲy2a）がオフ状態になって制御ユニットへの電源電圧の供給を停止させるため、外部操作用スイッチ５が開かれた瞬間に点火コイルの一次電流が遮断されて、過進角位置で機関が点火されるのを防ぐことができる。従って、外部操作用スイッチが開かれた際に、過進角点火により機関に衝撃が加わるのを防ぐことができ、機関が破損したり、寿命が短くなったりするのを防ぐことができる。
【００５２】
本実施形態のように、外部操作用スイッチとは別系統で制御ユニットに電源電圧を与える電源供給回路を設けた場合、点火コイルの一次電流が流れている状態で機関が停止して、点火コイルの一次電流を遮断することができなくなったときに、点火コイルの一次電流が流れ続けて、点火コイルが焼損するおそれが生じる。これを防ぐため、上記の実施形態では、内燃機関が停止している状態で外部操作用スイッチがオフ状態にされたときに、電源供給用スイッチをオフ状態にして制御ユニットへの電源電圧の供給を停止させるようにしている。このように構成しておけば、点火コイルに一次電流が流れ続けるのを防ぐことができるため、点火コイルが焼損するのを防ぐことができる。
【００５３】
図１に示した例では、電源１と制御ユニット４との間、及び電源１と点火コイル２の一次コイル２ａとの間にそれぞれ第１の電源供給用スイッチ（Ｒy1a）及び第２の電源供給用スイッチ（Ｒy2a）を設けたが、外部操作用スイッチ５を経由することなく電源電圧を制御ユニット４と点火コイルの一次コイル２ａとに与える電源供給回路は、オン状態にあるときに外部操作用スイッチ５を通すことなく電源１から制御ユニット４と点火コイルの一次コイル２ａとに電源電圧を与えるように設けられた一つの電源供給用スイッチを備えた構成としてもよい。
【００５４】
例えば、図６に示したように、一つのリレーＲＹを設けて、このリレーＲＹの励磁コイルＹを電源１の正極端子とトランジスタＴＲ2のコレクタとの間に接続し、その常開接点Ｒyaを電源１の正極端子と定電圧回路４Ｂの非接地側入力端子との間に接続すると共に、点火コイル２の一次コイル２ａの一端を定電圧回路４Ｂの非接地側端子に接続するようにすればよい。この例では、図１に示されたトランジスタＴＲ3と、リレーＲＹ2とが省略されている。なお図６のリレーＲＹとしては、図１のリレーＲＹ2と同じ電流容量を有するもの（点火コイルの一次電流を流すことができるもの）を用いる。図６に示し実施形態のその他の構成は図１に示した例と同様である。
【００５５】
図６に示したように構成した場合には、リレーと、該リレーの励磁電流をオンオフするスイッチ（上記の例ではトランジスタ）の数を少なくすることができるため、構成の簡素化を図って、コストの削減を図ることができる。
【００５６】
上記の各実施形態では、機関が停止している状態で外部操作用スイッチが開かれた際に、直ちに電源供給用スイッチ２１をオフ状態にするようにしたが、内燃機関が停止している状態で外部操作用スイッチ５がオフ状態にされたときには、設定された時間が経過した後に電源供給用スイッチ２１をオフ状態にして制御ユニット４と点火コイルの一次コイル２ａへの電源電圧の供給を停止させるようにするのが好ましい。
【００５７】
即ち、スイッチ制御手段２２は、外部操作用スイッチ５がオン状態にあるときに電源供給用スイッチ２１をオン状態に保持して電源供給回路を通して制御ユニット４と点火コイルの一次コイル２ａとに電源電圧が与えられるのを許容し、内燃機関が回転中であって点火コイルに一次電流が流れている状態で外部操作用スイッチ５がオフ状態にされたときには一次電流制御手段２０により点火コイル２の一次電流がオフ状態にされるのを待ってから電源供給用スイッチ２１をオフ状態にして制御ユニット４と点火コイルの一次コイル２ａへの電源電圧の供給を停止させ、内燃機関が回転中であって点火コイルに一次電流が流れていない状態で外部操作用スイッチ５がオフ状態にされたときには直ちに電源供給用スイッチをオフ状態にして制御ユニット４と点火コイルの一次コイル２ａへの電源電圧の供給を停止させ、内燃機関が停止している状態で外部操作用スイッチ５がオフ状態にされたときには外部操作用スイッチがオフ状態にされた時刻から設定された時間が経過した後に電源供給用スイッチ２１をオフ状態にして制御ユニット４と点火コイルの一次コイル２ａへの電源電圧の供給を停止させるように電源供給制御用スイッチ２１を制御する手段とするのが好ましい。
【００５８】
上記のように、内燃機関が停止している状態で外部操作用スイッチ５がオフ状態にされたときに、設定された時間が経過するのを待ってから電源供給用スイッチをオフ状態にして制御ユニットへの電源電圧の供給を停止させるようにすると、点火コイルの一次電流が流れている状態で機関が停止したときに、機関のシリンダ内で燃焼が行われなくなった状態で点火コイルの一次電流を遮断することができるため、制御ユニットへの電源電圧の供給が停止されて、点火コイルの一次電流が遮断されたときに無用の点火動作が行われるのを防ぐことができる。
【００５９】
また本発明において制御ユニットに設けるスイッチ制御手段２２は、外部操作用スイッチ５がオン状態にあるときに電源供給用スイッチ２１をオン状態に保持して電源供給回路を通して制御ユニット４と点火コイルの一次コイル２ａとに電源電圧が与えられるのを許容し、内燃機関が回転中であって点火コイルに一次電流が流れている状態で外部操作用スイッチ５がオフ状態にされたときには一次電流制御手段２０により点火コイルの一次電流がオフ状態にされるのを待ってから電源供給用スイッチ２１をオフ状態にして制御ユニット４と点火コイルの一次コイル２ａへの電源電圧の供給を停止させ、内燃機関が回転中であって点火コイルに一次電流が流れていない状態で外部操作用スイッチがオフ状態にされたときには直ちに電源供給用スイッチ２１をオフ状態にして制御ユニット４と点火コイルの一次コイル２ａへの電源電圧の供給を停止させ、内燃機関が停止し、かつ点火コイルに一次電流が流れていない状態で外部操作用スイッチがオフ状態にされたときには直ちに電源供給用スイッチをオフ状態にして制御ユニットと点火コイルの一次コイルへの電源電圧の供給を停止させ、内燃機関が停止し、かつ点火コイルに一次電流が流れている状態で外部操作用スイッチがオフ状態にされたときには設定された時間が経過した後に電源供給用スイッチをオフ状態にして制御ユニットと点火コイルの一次コイルへの電源電圧の供給を停止させるように電源供給制御用スイッチを制御する手段であってもよい。
【００６０】
図１に示したように、２つのリレーＲＹ1及びＲＹ2を設ける場合（個別に制御し得る第１及び第２の電源供給用スイッチを設ける場合）、外部操作用スイッチ５が開かれ、点火コイルの一次コイルへの通電が停止した後に同時に両リレーを非励磁にするのではなく、先ず点火コイルの一次コイルへの通電を制御するリレーＲＹ2を非励磁にし（第２の電源供給用スイッチをオフ状態にし）、次いで制御ユニット４への通電を制御するリレーＲＹ1を非励磁にする（第１の電源供給用スイッチをオフ状態にする）ようにしてもよい。このように、最後に制御ユニット４への電源電圧の供給を停止させるようにすると、点火動作を停止させた後にマイクロプロセッサに行わせる必要がある処理がある場合に、その処理が終了した後に制御ユニットの動作を停止させることができる。
【００６１】
図１に示した実施形態では、２つのリレーＲＹ1及びＲＹ2を設けているが、常開接点を２つ有する一つのリレーを用いて、該一つのリレーの２つの常開接点の一方及び他方を図１の接点Ｒy1a及びＲy2aとして用いるようにしてもよい。このように構成すると、リレーの励磁電流をオンオフするスイッチ素子（上記の例ではトランジスタ）の数を少なくして構成の簡素化を図ることができる。
【００６２】
上記の各実施形態に示したように、外部電源スイッチ５が開かれたときに、最終的には制御ユニット４と点火コイルの一次コイル２ａとの双方に、電源電圧が与えられないようにするのが好ましいが、一次電流制御用スイッチ３がオフ状態にあるときに、該一次電流制御用スイッチ３に常時電圧を印加しておいても差し支えない場合（バッテリが消耗したり、スイッチ素子が劣化したりするおそれがない場合）には、図１に示した実施形態において、接点Ｒy2aを省略（リレーＲＹ2及びトランジスタＴＲ3を省略）して、外部電源スイッチ５が開かれた後に点火コイルの一次コイル２ａと一次電流制御用スイッチ３とに常時電源電圧が印加されるのを許容するようにしてもよい。
【００６３】
上記の実施形態では、電源供給用スイッチとしてリレーの接点を用いたが、電源供給用スイッチをオンオフ制御が可能な半導体スイッチにより構成することもできる。
【００６４】
上記の実施形態では、単気筒内燃機関を点火する点火装置を例にとったが、多気筒内燃機関を点火する点火装置にも本発明を適用することができるのはもちろんである。
【００６５】
上記の実施形態では、一次電流制御用スイッチ３をトランジスタにより構成しているが、他のオンオフ制御が可能な半導体スイッチ素子を一次電流制御用スイッチ３として用いてもよい。
【図面の簡単な説明】
【００６６】
【図１】本発明の一実施形態の構成を示した回路図である。
【図２】図１に示した実施形態においてマイクロプロセッサにより構成される各種の手段を含む点火装置の全体的な構成を示したブロック図である。
【図３】図１に示した実施形態において、スイッチ制御手段を構成するためにマイクロプロセッサが実行するタスクのアルゴリズムを示したフローチャートである。
【図４】図１に示した実施形態において信号発生器が発生するパルス信号の波形と点火コイルの一次電流の波形とをクランク角に対して示した波形図である。
【図５】従来の電流遮断形の点火装置において信号発生器が発生するパルス信号の波形と点火コイルの一次電流の波形とをクランク角に対して示した波形図である。
【図６】本発明の他の実施形態の構成を示した回路図である。
【符号の説明】
【００６７】
１  電源
２  点火コイル
３  一次電流制御用スイッチ
４  制御ユニット
５  外部操作用スイッチ
ＲＹ1  第１の電源供給用スイッチを構成する第１のリレー
ＲＹ2  第２の電源供給用スイッチを構成する第２のリレー
【図１】
2006009692.tif 000003
【図２】
2006009692.tif 000004
【図３】
2006009692.tif 000005
【図４】
2006009692.tif 000006
【図５】
2006009692.tif 000007
【図６】
2006009692.tif 000008